(57)【要約】【課題】本発明は左右の建物が異なる左右方向に大きく揺れ動いても、損傷なく、その揺れ動きを吸収することができるとともに、天井目地材を目地部の大きさよりもわずかに大きなものを使用して、容易に設置できるようにし、かつコストの低減を図ることができる天井用目地装置を得るにある。【解決手段】左右の建物の躯体に固定された左右の天井材と、この左右の天井材の目地部側の上面に固定された左右の支持体と、この左右の支持体に支持される左右の支持体で通常時に支持される部位よりも両外側部位が傾斜面を介して上方に位置する左右の逃げ部が形成された２個以上の支持バーと、この２個以上の支持バーのほぼ中央部に支持具を介してほぼ中央部が取付けられた左右の天井材の下面とわずかに重なり合って目地部を覆う天井目地材と、２個以上の支持バーのほぼ中央部を目地部の中央部に常時位置させることができる中央維持装置とで天井用目地装置を構成している。【選択図】  図３
2006257788.tif 000002
【特許請求の範囲】
【請求項１】
目地部を介して設けられた左右の建物の躯体に固定された左右の天井材と、この左右の天井材の目地部側の上面に固定された左右の支持体と、この左右の支持体に支持される、該左右の支持体で通常時に支持される部位よりも両外側部位が傾斜面を介して上方に位置する、左右の逃げ部が形成された２個以上の支持バーと、この２個以上の支持バーのほぼ中央部に支持具を介してほぼ中央部が取付けられた、前記左右の天井材の下面とわずかに重なり合って目地部を覆う天井目地材と、前記２個以上の支持バーのほぼ中央部を目地部の中央部に常時位置させることができる中央維持装置とからなることを特徴とする天井用目地装置。
【請求項２】
目地部を介して設けられた左右の建物の躯体に固定された左右の天井材と、この左右の天井材の目地部側の上面に固定された左右の支持体と、この左右の支持体に支持された、該左右の支持体で通常時に支持される部位よりも両外側部位が傾斜孔を介して上方位置で支持することができる左右の逃げガイド溝が形成された２個以上の支持バーと、この２個以上の支持バーのほぼ中央部に支持具を介してほぼ中央部が取付けられた、前記左右の天井材の下面とわずかに重なり合って目地部を覆う天井目地材と、前記２個以上の支持バーのほぼ中央部を目地部の中央部に常時位置させることができる２個以上のパンタグラフ状の伸縮リンクを用いた中央維持装置とからなることを特徴とする天井用目地装置。
【発明の詳細な説明】
【技術分野】
【０００１】
本発明は目地部を介して設けられた左右の建物の天井部分の目地部を覆う天井用目地装置に関する。
【背景技術】
【０００２】
従来の天井用目地装置は左右の建物の躯体に固定された、左右の天井材の端部寄りの部位に両端部が重なり合う天井目地材が使用されている。
【０００３】
このような天井目地材は左右の建物が異なる左右方向の揺れ動きを吸収できる寸法を大きくすると、その分だけ重なり合う部位の寸法を大きくしなければならず、天井目地材の寸法が大きくなってしまうという欠点があった。
また、重なり合う部位の寸法を小さく設定すると、目地部が広がった後の狭くなる動作時に天井目地材の両端部と左右の天井材とが衝突して、損傷事故が生じやすいという欠点があった。
【特許文献１】実用新案登録第２５９９１３７号
【発明の開示】
【発明が解決しようとする課題】
【０００４】
本発明は以上のような従来の欠点に鑑み、左右の建物が異なる左右方向に大きく揺れ動いても、損傷なく、その揺れ動きを吸収することができるとともに、天井目地材を目地部の大きさよりもわずかに大きなものを使用して、容易に設置できるようにし、かつコストの低減を図ることができる天井用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた左右の建物の躯体に固定された左右の天井材と、この左右の天井材の目地部側の上面に固定された左右の支持体と、この左右の支持体に支持される、該左右の支持体で通常時に支持される部位よりも両外側部位が傾斜面を介して上方に位置する、左右の逃げ部が形成された２個以上の支持バーと、この２個以上の支持バーのほぼ中央部に支持具を介してほぼ中央部が取付けられた、前記左右の天井材の下面とわずかに重なり合って目地部を覆う天井目地材と、前記２個以上の支持バーのほぼ中央部を目地部の中央部に常時位置させることができる中央維持装置とで天井用目地装置を構成している。
【発明の効果】
【０００７】
以下の説明から明らかなように、本発明にあっては次に列挙する効果が得られる。
【０００８】
（１）左右の建物の躯体に固定された左右の天井材と、この左右の天井材の目地部側の上面に固定された左右の支持体と、この左右の支持体に支持される、該左右の支持体で通常時に支持される部位よりも両外側部位が傾斜面を介して上方に位置する、左右の逃げ部が形成された２個以上の支持バーと、この２個以上の支持バーのほぼ中央部に支持具を介してほぼ中央部が取付けられた、前記左右の天井材の下面とわずかに重なり合って目地部を覆う天井目地材と、前記２個以上の支持バーのほぼ中央部を目地部の中央部に常時位置させることができる中央維持装置とで構成されているので、目地部が狭くなると天井目地材の両端部が左右の天井材の下面と重なり合う部分が大きくなるようになって、その揺れ動きを吸収し、目地部が広くなると、２個以上の支持バーの左右の逃げ部を左右の支持体が支持して、左右の天井材と離れるように天井目地材を下方へ移動させて、その揺れ動きを吸収する。
したがって、天井目地材の両端部が左右の天井材の端部と衝突して損傷させる事故を確実に防止することができる。
【０００９】
（２）前記（１）によって、目地部の幅寸法よりもわずかに大きい幅寸法の天井目地材を用いることができる。
したがって、小型、コンパクト化が図れて設置が容易にできるとともに、コストの低減を図ることができる。
【００１０】
（３）前記（１）によって、地震等の揺れ動きが停止すると、中央維持装置によって自動的に元の状態に戻るとともに、構造が簡単であるので、容易に実施することができる。
【００１１】
（４）請求項２も前記（１）〜（３）と同様な効果が得られる。
【発明を実施するための最良の形態】
【００１２】
以下、図面に示す本発明を実施するための最良の形態により、本発明を詳細に説明する。
【００１３】
図１ないし図９に示す本発明を実施するための最良の第１の形態において、１は目地部２を介して設けられた左右の建物３、３の左右の天井材４、４間の目地部２を覆う本発明の天井用目地装置で、この天井用目地装置１は前記左右の天井材４、４の目地部２側の上面に固定された、上部が円弧状の左右の支持体５、５と、この左右の支持体５、５に支持される、該左右の支持体５、５で通常時に支持される部位５ａ、５ａよりも両外側部位が傾斜面６、６を介して上方へ位置する左右の逃げ部７、７が形成された２個以上の支持バー８、８と、この２個以上の支持バー８、８のほぼ中央部に支柱状の支持具９、９を介してほぼ中央部が取付けられた前記左右の天井材４、４の下面とわずかに重なり合って目地部２を覆う天井目地材１０と、この天井目地材１０の両端部にスライド移動可能に取付けられた端部天井目地材１１、１１と、この端部天井目地材１１、１１を常時外方へ突出するように付勢する付勢スプリング１２、１２と、前記２個以上の支持バー８、８のほぼ中央部を目地部の中央部に常時位置させる両端部の端部枢支部１３、１３、１３、１３が前記左右の天井材４、４の上面に枢支ピン１４、１４、１４、１４で枢支され、中央部の中央枢支部１５、１５が枢支ピン１６で、前記天井目地材１０の中央部に枢支された２個以上のパンタグラフ状の伸縮リンク１７、１７を用いた中央維持装置１８とで構成されている。
【００１４】
上記構成の天井用目地装置１は通常時には天井目地材１０の両端部が左右の天井材４、４の下面とわずかに重なり合った、図１ないし図３に示す状態で目地部２を覆っている。
【００１５】
地震等で左右の建物３、３が目地部２が狭くなるように揺れ動いた場合には、図６および図７に示すように左右の天井材４、４と天井目地材１０の両端部の重なり部分が大きくなるように移動して、その揺れ動きを吸収し、その揺れ動きが停止すると元の状態へ自動的に戻る。
【００１６】
目地部２が広くなるように左右の建物３、３が揺れ動いた場合には、図８および図９に示すように左右の天井材４、４に固定された左右の支持体５、５に支持される２個以上の支持バー８、８は傾斜面６、６を介して左右の逃げ部７、７で支持されるため、天井目地材１０は左右の天井材４、４より離れて下方に位置してその揺れ動きを吸収するため、揺れ動きが停止した場合には天井目地材１０の両端部よりも内側部位に位置した所より天井目地材１０が上昇して目地部２を覆う状態となり、天井目地材１０の両端部が左右の天井材４、４の端部と衝突するような事故を確実に防止することができる。
［発明を実施するための異なる形態］
【００１７】
次に、図１０ないし図１７に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１８】
図１０ないし図１２に示す本発明を実施するための第２の形態において、前記本発明を実施するための最良の第１の形態と主に異なる点は、上部にローラ１９を取付けたハット形鋼形状の支持体５Ａ、５Ａ、５Ａ、５Ａを用いるとともに、この支持体５Ａ、５Ａ、５Ａ、５Ａのローラ１９、１９、１９、１９が挿入される両端部に傾斜孔２０、２０を有する左右の逃げガイド溝２１、２１を形成した２個以上の支持バー８Ａ、８Ａを用いた点で、このように構成した天井用目地装置１Ａにしても、前記本発明を実施するための最良の第１の形態と同様な作用効果が得られる。
【００１９】
図１３ないし図１５に示す本発明を実施するための第３の形態において、前記本発明を実施するための第２の形態と主に異なる点は、２個以上の支持バー８Ａ、８Ａのほぼ中央部を支柱２２で固定し、該支柱２２に伸縮リンク１７、１７の中央枢支部１５、１５を枢支ピン１６、１６で枢支した点で、このように構成した天井用目地装置１Ｂにしても、前記本発明を実施するための第２の形態と同様な作用効果が得られる。
【００２０】
図１６および図１７に示す本発明を実施するための第４の形態において、前記本発明を実施するための最良の第１の形態と主に異なる点は、２個以上の支持バー８、８の両端部にストッパー片２３、２３、２３、２３を下方へ突出するとともに、該ストッパー片２３、２３、２３、２３と左右の支持体５、５との間に付勢スプリング２４、２４、２４、２４を設置した中央維持装置１８Ａを用いた点で、このような中央維持装置１８Ａを用いて構成した天井用目地装置１Ｃにしても前記本発明を実施するための最良の第１の形態と同様な作用効果が得られる。
【産業上の利用可能性】
【００２１】
本発明は天井用目地装置を製造する産業で利用される。
【図面の簡単な説明】
【００２２】
【図１】本発明を実施するための最良の第１の形態の要部平面図。
【図２】本発明を実施するための最良の第１の形態の底面図。
【図３】図１の３−３線に沿う拡大断面図。
【図４】本発明を実施するための最良の第１の形態の支持体の説明図。
【図５】本発明を実施するための最良の第１の形態の支持バーの説明図。
【図６】本発明を実施するための最良の第１の形態の目地部が狭くなる動作説明用平面図。
【図７】図６の７−７線に沿う断面図。
【図８】本発明を実施するための最良の第１の形態の目地部が広くなる動作説明用平面図。
【図９】図８の９−９線に沿う断面図。
【図１０】本発明を実施するための第２の形態の要部平面図。
【図１１】本発明を実施するための第２の形態の底面図。
【図１２】図１０の１２−１２線に沿う拡大断面図。
【図１３】本発明を実施するための第３の形態の要部平面図。
【図１４】本発明を実施するための第３の形態の底面図。
【図１５】図１３の１５−１５線に沿う拡大断面図。
【図１６】本発明を実施するための第４の形態の要部平面図。
【図１７】図１６の１７−１７線に沿う断面図。
【符号の説明】
【００２３】
１、１Ａ、１Ｂ、１Ｃ：天井用目地装置、
２：目地部、                        ３：建物、
４：天井材、                        ５、５Ａ：支持体、
６：傾斜面、                        ７：逃げ部、
８、８Ａ：支持バー、          ９：支持具、
１０：天井目地材、                  １１：端部天井目地材、
１２：付勢スプリング、        １３：端部枢支部、
１４：枢支ピン、              １５：中央枢支部、
１６：枢支ピン、              １７：伸縮リンク、
１８、１８Ａ：中央維持装置、  １９：ローラ、
２０：傾斜孔、                ２１：逃げガイド溝、
２２：支柱、                        ２３：ストッパー片、
２４：付勢スプリング。
【図１】
2006257788.tif 000003
【図２】
2006257788.tif 000004
【図３】
2006257788.tif 000005
【図４】
2006257788.tif 000006
【図５】
2006257788.tif 000007
【図６】
2006257788.tif 000008
【図７】
2006257788.tif 000009
【図８】
2006257788.tif 000010
【図９】
2006257788.tif 000011
【図１０】
2006257788.tif 000012
【図１１】
2006257788.tif 000013
【図１２】
2006257788.tif 000014
【図１３】
2006257788.tif 000015
【図１４】
2006257788.tif 000016
【図１５】
2006257788.tif 000017
【図１６】
2006257788.tif 000018
【図１７】
2006257788.tif 000019